(57)【特許請求の範囲】
【請求項１】
立上り躯体の頂部へ取り付けられた笠木ホルダーと、この笠木ホルダーに支持された笠木と、上記笠木ホルダーとは別に設けられた防水手段とで構成される笠木装置であって、
上記笠木ホルダーは、取付部の両側から一対の立上片が立上る短寸のもので、上記取付部により立上り躯体へ所定の間隔で取り付けられ、
上記笠木は、上記笠木ホルダーに対応する主部に、外側へ延出する張出化粧部を連設されて、上記主部の両側下部には、上記一対の立上片へ嵌り合う一対の垂下片を設けられ、これら垂下片の少なくとも一方には上記防水手段の支持部が設けられ、
上記防水手段は、上記支持部と上記立上り躯体の頂部との間隙に設けられて、弾性変形で上記間隙の封塞を行なうものであり、
上記笠木に取り付けた上記防水手段が弾性変形することで、上記笠木を傾けて上記笠木ホルダーへ嵌め付け可能であり、
長手方向へ上記笠木同士を接合する際、隣り合う笠木の上面に、裏面に水密材を添えた連結材を先端が上記張出化粧部に設けられた凹部へ係合するように重ねて、固定部材で笠木へ固定したことを特徴とする笠木装置。
【請求項２】
上記防水手段は、上記支持部で圧縮されると弾性変形して、上記支持部と立上り躯体と
の間隙の封塞を行なうウェザーストリップであることを特徴とする請求項１に記載の笠木
装置。
【請求項３】
上記笠木ホルダーの取付部の両側から立ち上がる一対の立上片の上端に、上記笠木の主部の裏面と平行する頂部が設けられていることを特徴とする請求項１又は２記載の笠木装置。
【発明の詳細な説明】
【技術分野】
【０００１】
本発明は、パラペット、手摺等の建物の立上り躯体へ取り付ける笠木装置に関する。
【背景技術】
【０００２】
パラペット、手摺等の建物の立上り躯体へ取り付ける笠木装置であって、笠木を支持するホルダーが、立上り躯体上面に固定される底板と、該底板の上面に立設され、笠木の取付部に嵌合する結合爪を有する２枚の支持板と、少なくとも一方の前記支持板の下方の係合爪の先端から前方に延設し、且つ、その先端が下方に折曲して立上り躯体側面に沿って伸びる水切部とが設けられたものは、特許文献１により知られている。
【０００３】
上記笠木装置は、笠木を見切りとして兼用することができるため、生産コストの削減と、取り付けの容易化が図れることは認められる。しかしながら、笠木ホルダーと水切部が一体に形成されていて、該水切部は立上がり躯体の側面に沿って下方へ折曲して伸びるため、この水切部に制限されて笠木ホルダーを巾が広い立上り躯体へ取り付けることはできないから、厚さが様々に異なる立上り躯体へ設置するためには、多種類の笠木ホルダーを用意する必要があってコストが嵩む問題点があった。
【先行技術文献】
【特許文献】
【０００４】
【特許文献１】特開２００６−２００２９９号公報
【発明の概要】
【発明が解決しようとする課題】
【０００５】
本発明は、笠木ホルダーと防水手段を別に設けることで、巾が広狭に異なる複数種の立上り躯体へも一種類の笠木ホルダーで笠木装置を設置することができて、防水手段も条件に応じて適当なものを選択使用できる笠木装置を提供すること。
【課題を解決するための手段】
【０００６】
前記課題を解決するため、請求項１に係る発明は、立上り躯体の頂部へ取り付けられた笠木ホルダーと、この笠木ホルダーに支持された笠木と、上記笠木ホルダーとは別に設けられた防水手段とで構成される笠木装置であって、上記笠木ホルダーは、取付部の両側から一対の立上片が立上る短寸のもので、上記取付部により立上り躯体へ所定の間隔で取り付けられ、上記笠木は、上記笠木ホルダーに対応する主部に、外側へ延出する張出化粧部を連設されて、上記主部の両側下部には、上記一対の立上片へ嵌り合う一対の垂下片を設けられ、これら垂下片の少なくとも一方には上記防水手段の支持部が設けられ、上記防水手段は、上記支持部と上記立上り躯体の頂部との間隙に設けられて、弾性変形で上記間隙の封塞を行なうものであり、上記笠木に取り付けた上記防水手段が弾性変形することで、上記笠木を傾けて上記笠木ホルダーへ嵌め付け可能であり、長手方向へ上記笠木同士を接合する際、隣り合う笠木の上面に、裏面に水密材を添えた連結材を先端が上記張出化粧部に設けられた凹部へ係合するように重ねて、固定部材で笠木へ固定したことを特徴とする。
【０００７】
請求項２に係る発明は、上記防水手段が、上記支持部で圧縮されると弾性変形して、上記支持部と立上り躯体との間隙の封塞を行なうウェザーストリップであることを特徴とする。
【０００８】
【０００９】
【００１０】
【００１１】
【００１２】
請求項３に係る発明は、上記笠木ホルダーの取付部の両側から立ち上がる一対の立上片の上端に、上記笠木の主部の裏面と平行する頂部が設けられていることを特徴とする。
【発明の効果】
【００１３】
請求項１に係る発明によれば、笠木の主部に設けられた一対の垂下片の少なくとも一方に防水手段を設けることで、笠木ホルダーが防水手段を付帯しないものとしたから、巾が広狭に異なる複数の立上り躯体への笠木装置の取り付けを、１種類の笠木ホルダーで行なうことができて、笠木装置の設置コストの低減が図れるだけでなく、防水手段が異種の複数を選択使用することで防水機能と意匠性を多様化することができて、しかも、笠木は立上り躯体の外側へ延出する張出化粧部を備えるため、この張出化粧部で意匠性と防水機能を高めることもできる。
また、長手方向へ笠木同士を連結する際に、隣り合う笠木の上に連結材を当てて固定するから、笠木の確実な連結が作業性よく行われて、この連結は隣り合う笠木が留接ぎされる出隅部、入隅部でも同様に行なわれる。
【００１４】
請求項２に係る発明によれば、笠木の垂下片にウェザーストリップを支持させて、上記垂下片を笠木ホルダーの立上片へ嵌め込むと、上記ウェザーストリップが立上り躯体の頂部へ圧接されて弾性変形を起こし、笠木の垂下片と立上り躯体の頂部との間隙を封塞して防水を行なうため、簡単な作業で確実な防水効果を得ることができる。
【００１５】
【００１６】
【００１７】
【００１８】
【００１９】
請求項３に係る発明によれば、笠木を笠木ホルダーに支持させると、笠木ホルダーの立上片の上端に設けられた頂部が、笠木の裏面へ当って笠木を安定させるから、笠木のガタ付きが生じ難い笠木ホルダーへの取り付けが容易且つ確実に行なわれる。
【図面の簡単な説明】
【００２０】
【図１】請求項１に係る笠木装置の縦断側面図
【図２】同上装置に用いられた笠木の端面図
【図３】同上装置に用いられた防水手段（ウェザーストリップ仕様）の端面図
【図４】同上装置に用いられた笠木ホルダーの端面図
【図５】同上装置に用いられた笠木の連結材の端面図
【図６】同上装置に用いられた端末化粧蓋の側面図
【図７】（ａ）（ｂ）（ｃ）（ｄ）は、同上装置の設置順序を示す説明図
【図８】同上装置の笠木同士を連結材で連結する説明図
【図９】同上装置の端末へ化粧蓋を取り付ける説明図
【図１０】同上装置の出隅をなす立上り躯体への設置態様を示す平面図
【図１１】同上装置の入隅をなす立上り躯体への設置態様を示す平面図
【図１２】同上装置が同じ笠木ブラケットを用いても、厚さが異なる複数の立上り躯体へ設置できる態様の説明図
【図１３】同上装置の一部の変形態様（シーリング仕様）を示す縦断側面図
【図１４】（ａ）（ｂ）（ｃ）（ｄ）は、同上変形態様の設置順序を示す説明図
【図１５】同上装置の他の一部変形態様（ウェザーストリップ仕様とシーリング仕様の併用）を示す縦断側面図
【図１６】請求項４に係る笠木装置の縦断側面図
【図１７】同上装置に用いられた防水手段（水切材仕様）の端面図
【図１８】（ａ）（ｂ）（ｃ）（ｄ）は、同上装置の設置順序を示す説明図
【図１９】（ａ）（ｂ）（ｃ）は、同上装置が同じ笠木ブラケットを用いても、厚さが異なる複数の立上り躯体へ設置可能な態様を示す説明図
【図２０】同上装置の一部の変形態様（水切材仕様とウェザーストリップ仕様の併用）を示す縦断側面図
【図２１】同上装置の一部の変形態様（水切材仕様とシーリング仕様の併用）を示す縦断側面図
【発明を実施するための最良の形態】
【００２１】
図１において符号Ａ１は、本発明の請求項１に係る笠木装置を示す。この笠木装置Ａ１は、立上り躯体１の頂部１ａへ取り付けられた笠木ホルダー２と、この笠木ホルダー２に支持された笠木３と、上記笠木ホルダー２とは別に設けられた防水手段４とで構成されるものであって、上記笠木ホルダー２は、取付部５の両側から一対の立上片６、立上片７が立上る短寸のもので、上記取付部５により立上り躯体１へ所定の間隔で取り付けられ、上記笠木３は、上記笠木ホルダー２に対応する主部３ａに、外側へ延出する張出化粧部３ｂを連設されて、上記主部３ａの両側下部には、上記一対の立上片６、立上片７へ嵌り合う一対の垂下片８、垂下片９を設けられ、少なくとも一方の垂下片には上記防水手段４の支持部１１が設けられ、上記防水手段４は、上記支持部１１と上記立上り躯体１の頂部１ａとの間隙ｇに設けられて、この間隙ｇをが弾性変形又充填で封塞される。
【００２２】
上記立上り躯体１は、建物に設けられたパラペット、手摺等であって、構造、材料、意匠性、その他の条件によって、図１２（ａ）（ｂ）（ｃ）に一例を示す通り巾が広狭に異なる複数のものが設置される。
【００２３】
上記笠木ホルダー２は、図４に示す通り、立上り躯体１の頂部１ａへ取り付けられる取付部５の両側から一対の立上片６、立上片７が立ち上るもので、一方の立上片６は、直立する基部６ａの上側には先上りに外方へ傾斜する傾斜部６ｂが連なり、傾斜部６ｂの上側には直立部６ｃが連なり、直立部６ｃの上側には上記笠木３の裏面へ平に当たる頂部６ｄが連なって、傾斜部６ｂと直立部６ｃの間の内側にはビスホール１２を設けられるように、また、他方の立上片７は、直立する基部７ａの上部外側には水平の中継部７ｂが連なり、中継部７ｂの外側には先下がりに外方へ傾斜する傾斜部７ｃが上下の中間部で連なり、傾斜部７ｃの上側には、上記笠木３の裏面へ平に当たる頂部７ｄが連なって、傾斜部７ｃと中継部７ｂとの間の内側にはビスホール１２を設けられるようにアルミニウム合金等の押出形材で成形された長尺材を短寸に切断して形成する。そして、上記取付部５には、図１等に示される取付ボルト１３を通す長孔１４を複数個開けられている。
【００２４】
上記笠木３は、図２に示す通り、笠木ホルダー２に対応する主部３ａの一方から延出する張出化粧部３ｂの先端の上側に、笠木３を連結する後記連結材を係合させる凹部１７が形成され、上記主部３ａの両側の下部には、笠木ホルダー２に設けられた一対の立上片６、立上片７と嵌まり合う上記一対の垂下片８、垂下片９を設けられ、一方の垂下片８は、基部から先端まで一直線をなして、中間部の内側に上記立上片６の傾斜部６ｂへ係合させる三角突起１８を有し、下端の内側には上記防水手段４を支持する支持部１１を有し、また、他方の垂下片９は、垂下する基部９ａの下側には上記立上片７の傾斜部７ｃと一致する角度の傾斜部９ｂが連なり、傾斜部９ｂの下側には垂下部９ｃが連なって、この垂下部９ｃは、外側の中間部に上記防水手段４を支持する支持部１１が設けられ、内側の上部に立上片７の傾斜部７ｃの下端へ係合する小突起１９を設けられるように、アルミニウム合金等の押出形材で成形された長尺材を、規格寸法に切断して形成される。そして、上記垂下片９の傾斜部９ｂには、図１に示される取付ねじ１５を通す長孔２０が開けられる。
【００２５】
上記防水手段４は、垂下片９８に設けられた支持部１１と立上り躯体１の頂部１ａとの間隙ｇを弾性変形で封塞させるものであるから、軟質で弾性に優れたゴム、合成樹脂等で長い紐状に形成されたウェザーストリップ２１を用いるから、以後、４（２１）と記す。このウェザーストリップ４（２１）は、図３に示す通り、断面形状が例えばＵ字形をなすように成形されて、上部に支持部１１へ嵌め付ける溝形の取付部２２を設けられている。
【００２６】
図５において符号２３は、笠木３の連結を行なう連結材を示す。この連結材２３は、図８に示す通り笠木３の巾と同じ長さの短冊形をなして、両側の下部に一対の折曲縁２４、折曲縁２４を有し、裏面には一対の水密材２５、水密材２５を添え付けられて、両側には図８に示す通り、笠木３に取付けるための取付ねじ２７を通す孔２８が開けられている。
【００２７】
図６において符号２９は、笠木装置Ａ１の端末に取り付けられる化粧蓋を示す。この化粧蓋２９は完成した笠木装置Ａ１の端末が開放していると、内部の構造が見えて意匠性を損なうから、図６に示す通り開放する端末の形状に合わせた形状に形成されて、図４に示す通り笠木ホルダー２の立上片６と立上片７に設けられているビスホール１２、ビスホール１２に位置を合わせて、図９に示される取付ねじ３０を通す孔３1、孔３１を開けられる。
【００２８】
上記構成の笠木装置Ａ１を、立上り躯体１へ設置するには、笠木ホルダー２の取付部５を、図７（ａ）に示す通り、取付ボルト１３による締め付けで立上り躯体１の頂部１ａへ取り付けて、立上り躯体１の頂部１ａへ、図１０及び図１１に一例を示す通り笠木ホルダー２を適当な間隔で必要数配置する。
【００２９】
上記の通り笠木ホルダー２が配置されたら、図７（ｂ）に示す通り笠木３の主部３ａの両側から垂下する一対の垂下片８、垂下片９の下部に形成された支持部１１、支持部１１の一方または両方（以下両方に付いて示す）に、溝形の取付部２２、溝形の取付部２２を嵌合して、ウェザーストリップの防水手段４（２１）、防水手段４（２１）を取り付ける。
【００３０】
上記の通り防水手段４（２１）、防水手段４（２１）を垂下片８、垂下片９へ取り付けられた笠木３は、図７（ｃ）に示す通り、主部３ａ側よりも張出化粧部３ｂ側が下がるように傾けて、垂下片８、垂下片９を、笠木ホルダー２から立ち上がる立上片６、立上片７へ嵌め付けると、一方の垂下片８側の支持部１１に取り付けられた防水手段４（２１）は、立上り躯体１の頂部１ａへ圧接されて弾性変形を起し、支持部１１と立上り躯体１の頂部１ａとの間隙ｇを封塞する。そこで、笠木３の主部３ａ側を、図７（ｄ）に示す通り押し下げて、他方の垂下片９を立上片７へ嵌め付けると、垂下片９の支持部１１へ取り付けられた防水手段４（２１）が、立上り躯体１の頂部１ａへ圧接されて弾性変形を起し、支持部１１と立上り躯体１の頂部１ａとの間隙ｇを封塞するから、この状態で一方の垂下片８に設けられた三角突起１８は、立上片６の傾斜部６ｂへ係合し、他方の垂下片９に設けられた小突起１９は、立上片７の傾斜部７ｃの下端へ係合して、垂下片８、垂下片９を立上片６、立上片７へ止め着ける。そこで、垂下片９の傾斜部９ｂにあけられた長孔２０から取付ねじ１５を締め込めば、防水された笠木３の笠木ホルダー２への取り付けが行なわれる。
【００３１】
上記の通りの操作で最初の笠木３が取り付けられたら、同様の操作で次の笠木３を笠木ホルダー２へ取り付ける作業を反復して行なうと、例えば、図１０に示す通り出隅３２を有する立上り躯体１や、図１１に示す通り入隅３３を有する立上り躯体１、或いは、図面には示してない真っ直ぐな立上り躯体１等に適合する笠木装置Ａ１が構成される。しかし、構成された笠木装置Ａ１の各笠木３は、端縁が図５に示す通り近接しているだけで連結されていないため、意匠性が損なわれる状態にあるから、各笠木３の連結と笠木装置Ａ１の端末の閉塞を下記の通りに行なって笠木装置Ａ１を完成させる。
【００３２】
各笠木３の連結は、隣り合う笠木３、笠木３の上に両者の隙間に中心を合わせて、裏面に水密材２５、水密材２５を添えられた連結材２３を、図８に示す通り重ねてその先端部を笠木３の張出化粧部３ｂに設けられた凹部１７へ挿入し、連結材２３に開けられた孔２８から笠木３へ取付ねじ２７を締め込めば、水密材２５、水密材２５で笠木３の連結が行なわれ、雨水等が笠木３の連結部より侵入し難くなる。
【００３３】
又、笠木装置Ａ１の開放する端末の化粧は、笠木装置Ａ１の端末へ図９に点線で示す通り内部の構造が隠されるように形成した化粧蓋２９を当て、この化粧蓋２９に開けられている孔３１、孔３１を笠木ホルダーの立上片６、立上片７に開けられた溝ビスホール１２、ビスホール１２に合わせて、取付ねじ３０、取付ねじ３０の締め込みを行なえば、化粧蓋２９は笠木装置Ａ１の端末へ取り付けられて端末の化粧と防水を行なう。
【００３４】
図１３は、上記笠木装置Ａ１の防水手段を変化させた実施形態を示すもので、この実施形態は、笠木３の垂下片８、垂下片９に設けられた防水手段の支持部１１、支持部１１と立上り躯体１の頂部１ａとの間隙ｇ、間隙ｇに、シーリング剤３４を充填して、上記間隙ｇ、間隙ｇを封塞させて防水するものであるから、この実施形態における防水手段の符号は４（３４）とする。
【００３５】
この実施形態の笠木装置Ａ１を設置するには、図１４（ａ）に示す通り笠木ホルダー２を立上り躯体１の頂部１ａへ取り付け、この笠木ホルダー２に設けられた立上片６、立上片７へ、笠木３に設けられた垂下片８、垂下片９を、図１４（ｂ）、図１４（ｃ）に示す通り、笠木３を操作して嵌め付けてから、垂下片９と立上片７を取付ねじ１５で結合する。そして、垂下片８、垂下片９に設けられた防水手段の支持部１１、支持部１１と立上り躯体１の頂部１ａとの間隙ｇ、間隙ｇの奥側に、図１４（ｃ）に示す通り塞板３５、塞板３５を取り付けて、上記間隙ｇ、間隙ｇへ図１４（ｄ）に示す通り防水手段４（３４）、防水手段４（３４）を充填すると、間隙ｇ、間隙ｇが封塞されて防水機能を果たす笠木装置Ａ１が設置される。
【００３６】
図１５は、笠木３の垂下片８に設けられた支持部１１と、垂下片９に設けられた支持部１１に、異種の防水手段を設けた実施形態を示すもので、この図においては垂下片８側の支持部１１に、ウェザーストリップの防水手段４（２１）が設けられ、垂下片９側の支持部１１に、シーリングの防水手段４（３４）が設けられているが、これとは反対に垂下片８側の支持部１１に、シーリングの防水手段４（３４）が設けられ、垂下片９側の支持部１１に、ウェザーストリップの防水手段４（２１）が設けられるようにしてもよい。
【００３７】
上記各実施形態に示す通り、笠木３の垂下片８、垂下片９に設けられた支持部１１、支持部１１を利用して、ウェザーストリップの防水手段４（２１）または、シーリング剤の防水手段４（３４）、或いは、両者を併設する笠木装置Ａ１は、設置する立上り躯体１が、図１２（ａ）に示す通り巾が狭いものでも、図１２（ｂ）に示す通り巾が中間のものでも、図１２（ｃ）に示す通り巾が広いものでも、全て同じ笠木ホルダー２を用いて笠木装置Ａ１を設置することができて、しかも、防水手段４（２１）または、防水手段４（３４）も全て同一のものとなるから、施工の合理化と意匠性の統一が図れる。
【００３８】
図１６において符号Ａ２は、本発明の請求項４に係る発明の笠木装置の実施形態を示すもので、この笠木装置Ａ２は、立上り躯体１の頂部１ａへ取り付けられた笠木ホルダー２と、この笠木ホルダー２に支持させた笠木３と、上記笠木ホルダー２は別に設けられた防水手段４で構成される笠木装置であって、上記笠木ホルダー２は、取付部５の両側から一対の立上片６、立上片７が立上る短寸のもので、上記取付部５より立上り躯体１へ所定の間隔で取り付けられて、上記立上片６、立上片７の少なくとも一方の下部に上記防水手段４の支持部３６を設けられ、上記笠木３は、上記笠木ホルダー２に対応する主部３ａに、外側へ延出する張出化粧部３ｂが連設されて、上記主部３ａの両側下部には、上記一対の立上片６、立上片７へ嵌り合う一対の垂下片８、垂下片９を設けられ、上記防水手段４は、上記立上片６、立上片７の少なくとも一方の下部から立上り躯体１の外側まで延出して上記立上り躯体１の上部を覆う構成を有することを特徴とする。
【００３９】
上記笠木装置Ａ２を構成する部材のうち、笠木ホルダー２と笠木３は、請求項１に係る笠木装置Ａ１に用いられたものと同一構造のものを使用するから、これらの部材に付いては、同一部分に同一の符号を付すことで構造の説明を省略し、構造が異なる防水手段４のみについて以下に説明する。
【００４０】
この実施形態の防水手段４は、笠木ホルダー２に設けられた立上片６、立上片７の一方または両方の下部に設けられる支持部３６、支持部３６の少なくとも一方から立上り躯体１の上角部まで延出させることで、立上り躯体１の上部を覆わせて防水を行なわせる水切材３７を用いるから、この実施形態では防水手段の符号を４（３７）とする。そして、立上片６、立上片７に設けられた支持部３６、支持部３６の両方に防水手段４（３７）、防水手段４（３７）を取り付ける場合を以下に説明する。
【００４１】
上記防水手段４（３７）、防水手段４（３７）は、両者の形状と寸法が図１６に示す通り同一の場合もあるが、図１９（ａ）、図１９（ｂ）、図１９（ｃ）に示す通り形状と寸法が相違する場合が多くある。しかし、構成は殆ど変わらないものであって、図１７に示す通り、笠木ホルダー２の立上片６、立上片７の基部７ａ、基部７ａを利用した支持部３６、支持部３６へ取り付けられる取付部３７ａと、この取付部３７ａから立上り躯体１の上角部まで延出する張出部３７ｂと、該張出部３７ｂの先端から下方へ垂下して、先端に内側への折曲部３７ｃを有する垂下部３７ｄを有するようにアルミニウム合金等の押出形材で形成されたものを必要な長さに切断してる。上記取付部３７ａ、取付部３７ａには、立上片６、立上片７の基部６ａ、基部７ａを利用した支持部３６、支持部３６へ取付けるために図１７の通り取付ねじ３９を締め込むための孔４０を開けてもよい。
【００４２】
上記笠木装置Ａ２を立上り躯体１の頂部１ａへ設置するには、笠木ホルダー２を取付部５の下側へ図１８（ａ）に示す通り、上げ板４１を入れて、防水手段４（３７）、防水手段４（３７）が立上り躯体１への接触が起こらないようにし、取付部５を取付ボルト１３で立上り躯体１へ固定する操作を離隔する複数個所で行なえば、笠木ホルダー２の必要数を立上り躯体１の頂部１ａへ、例えば図１０及び図１１に例示するように配置することができる。
【００４３】
上記の通り笠木ホルダー２が配置されたら、各笠木ホルダー２に設けられた立上片６、立上片７の支持部３６、支持部３６に利用する基部６ａ、基部７ａへ、図１８（ｂ）に示す通り防水手段４（３７）の取付部３７ａ、取付部３７ａを当て、各々に開けられる孔４０、孔４０に取付ねじ３９、取付ねじ３９を通して、立上片６、立上片７の支持部３６、支持部３６へ締め込めば、防水手段４（３７）、防水手段４（３７）が、立上片６、立上片７に支持されて、立上り躯体１の内外両側の上部を覆って防水を行なうようになる。
【００４４】
上記の通り防水手段４（３７）、防水手段４（３７）の取り付けが終わったら、笠木３を図１８（ｃ）、図１８（ｄ）に示す通りに操作して、該笠木３に設けられた垂下片８、垂下片９を、笠木ホルダー２に設けられた立上片６、立上片７へ嵌め付け、垂下片９に開けられた長孔２０から立上片７へ取付けねじ１５を締め込んで、笠木３を笠木ホルダー２へ取り付ける操作を繰り返し行って必要数の笠木３が取り付けられたら、各笠木３を図８に示す通り裏側に水密材２５、水密材２５を添えられた連結材２３を取付ねじ２７で取り付けて隣り合う笠木３の連結を行なう。そして、笠木装置Ａ２の開放する端末には、図９に示す通り、化粧蓋２９を添えて取付ねじ３０で笠木ホルダー２の立上片６、立上片７へ固定すれば、防水性と意匠性に優れた笠木装置Ａ２が完成する。
【００４５】
上記笠木装置Ａ２は、笠木ホルダー２に設けられた立上片６、立上片７の一方または両方に、立上り躯体１の上部を覆う防水手段４（３７）を取り付けて防水を行なうものであるから、立上り躯体１の巾が広狭に変化すれば、これに合わせて防水手段４（３７）の巾を変化させれば、笠木ホルダー２は同一のものを使用して、笠木装置Ａ２を図１９（ａ）示す通りに巾が狭い立上り躯体１へ設置することも、図１９（ｂ）に示す通り巾が中間の立上り躯体１へ設置することも、図１９（ｃ）示す通り巾が広い立上り躯体１へ設置することもできる。
【００４６】
図２０は、上記笠木装置Ａ２が、笠木ホルダーの一対の立上片６、立上片７に水切材の防水手段４（３７）、防水手段４（３７）を取り付けて立上り躯体１の上部を覆う防水を行ったのに対して、一方の立上片７には笠木３の垂下片９に設けられた防水手段の支持部１１にウェザーストリップの防水手段４（２１）を支持させて、この防水手段４（２１）の弾性変形で支持部１１と立上り躯体１の頂部１ａとの間隙ｇを封塞させる防水が行われるようにした実施形態を示すものであり、図２１は、一方の立上片７に笠木３の垂下片９に設けられた支持部１１と立上り躯体１の頂部１ａとの間隙ｇにその奥側を塞板３５で塞いだ状態でシーリング剤の防水手段４（３４）を充填して、間隙ｇを封塞させることで防水を行なうようにした実施形態を示すもので、防水手段４（３７）と防水手段４（２１）または防水手段４（３４）との配置関係は、上記に限定されるものではなく、反対に変換することもできる。
【産業上の利用可能性】
【００４７】
本発明は、笠木ホルダーと防水手段を別設することで、笠木装置を立上り躯体の巾が狭いものから、巾が広いものまで設置できるようにするのに有効利用できる。
【符号の説明】
【００４８】
Ａ１  笠木装置
１  立上り躯体
２  笠木ホルダー
３  笠木３ａ主部
３ｂ張出化粧部
４  防水手段
５  取付部
６、７  立上片
８、９  垂下片
【図１】
0005671759.tif 000002
【図２】
0005671759.tif 000003
【図３】
0005671759.tif 000004
【図４】
0005671759.tif 000005
【図５】
0005671759.tif 000006
【図６】
0005671759.tif 000007
【図７】
0005671759.tif 000008
【図８】
0005671759.tif 000009
【図９】
0005671759.tif 000010
【図１０】
0005671759.tif 000011
【図１１】
0005671759.tif 000012
【図１２】
0005671759.tif 000013
【図１３】
0005671759.tif 000014
【図１４】
0005671759.tif 000015
【図１５】
0005671759.tif 000016
【図１６】
0005671759.tif 000017
【図１７】
0005671759.tif 000018
【図１８】
0005671759.tif 000019
【図１９】
0005671759.tif 000020
【図２０】
0005671759.tif 000021
【図２１】
0005671759.tif 000022